(57)【特許請求の範囲】
【請求項１】
表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定部と、
前記透過率設定部により前記透過率が設定された前記文字情報および前記画像情報を含む前記第１表示情報と、前記透過率設定部により前記透過率が設定された前記文字情報および前記画像情報を含む前記第２表示情報とを重ねた重畳情報を生成する重畳情報生成部と、
前記重畳情報を前記表示部に表示する表示処理部と
を備えることを特徴とする情報表示装置。
【請求項２】
ユーザから前記第１表示情報および前記第２表示情報のうち少なくとも一方の表示割合の指定を受け付ける受付部をさらに備え、
前記第１文字透過率、前記第１画像透過率、前記第２文字透過率および前記第２画像透過率は、前記第１表示情報と前記第２表示情報の表示割合に基づいて定まる値であり、
前記透過率設定部は、前記受付部が受け付けた前記一方の表示割合に基づいて、前記第１表示情報の前記文字情報の透過率を前記第１文字透過率に設定し、前記第１表示情報の前記画像情報の透過率を前記第１画像透過率に設定し、さらに、前記第２表示情報の前記文字情報の透過率を前記第２文字透過率に設定し、前記第２表示情報の前記画像情報の透過率を前記第２画像透過率に設定する
請求項１に記載の情報表示装置。
【請求項３】
前記第１表示情報および前記第２表示情報のいずれか一方の前記表示情報の表示割合から前記第１文字透過率を算出するための第１文字関数、前記表示割合から前記第１画像透過率を算出するための第１画像関数、前記表示割合から前記第２文字透過率を算出するための第２文字関数および前記表示割合から前記第２画像透過率を算出するための第２画像関数を記憶する記憶部をさらに備え、
前記透過率設定部は、前記受付部が受け付けた前記一方の表示割合と、前記記憶部に記憶されている前記第１文字関数および前記第１画像関数とに基づいて、前記第１表示情報の前記文字情報の透過率を前記第１文字透過率に設定し、前記第１表示情報の前記画像情報の透過率を前記第１画像透過率に設定し、さらに、前記受付部が受け付けた前記一方の表示割合と、前記記憶部に記憶されている前記第２文字関数および前記第２画像関数とに基づいて、前記第２表示情報の前記文字情報の透過率を前記第２文字透過率に設定し、前記第２表示情報の前記画像情報の透過率を前記第２画像透過率に設定する
請求項２に記載の情報表示装置。
【請求項４】
前記第１文字関数は、前記第２表示情報の前記表示割合が増加するに従って前記第１文字透過率が増加する関数であって、
前記第１画像関数は、前記第２表示情報の前記表示割合が増加するに従って前記第１画像透過率が増加する関数である
請求項３に記載の情報表示装置。
【請求項５】
前記第１文字関数は、前記第２表示情報の前記表示割合が所定の第１表示割合のときに前記第１文字透過率が１００％になる関数であって、
前記第１画像関数は、前記第２表示情報の前記表示割合が増加するにつれて前記第１画像透過率が増加する割合が、前記第１文字関数において前記第１文字透過率が増加する割合に比べて大きい関数であって、かつ前記第１表示割合よりも小さい所定の第２表示割合のときに前記第１画像透過率が１００％になる関数である
請求項４に記載の情報表示装置。
【請求項６】
前記第２文字関数は、前記第２表示情報の前記表示割合が減少するに従って前記第２文字透過率が増加する関数であって、
前記第２画像関数は、前記第２表示情報の前記表示割合が減少するに従って前記第２画像透過率が増加する関数である
請求項３から５のいずれか一項に記載の情報表示装置。
【請求項７】
前記第２画像関数は、前記第２表示情報の前記表示割合が所定の第３表示割合のときに前記第２画像透過率が１００％になる関数であって、
前記第２文字関数は、前記第２表示情報の前記表示割合が減少するに従って前記第２文字透過率が増加する割合が、前記第２画像関数において前記第２画像透過率が増加する割合に比べて大きい関数であって、かつ前記第３表示割合よりも大きい所定の第４表示割合のときに前記第２文字透過率が１００％になる関数である
請求項６に記載の情報表示装置。
【請求項８】
前記表示部に表示される表示情報を生成するアプリケーションの属性に基づいて、前記表示情報が前記文字情報を主体とする情報であるか、前記画像情報を主体とする情報であるかを判断する属性判断部をさらに備え、
前記透過率設定部は、前記文字情報を主体とする情報であると判断された前記表示情報の前記文字情報の透過率を前記第１文字透過率に設定し、前記文字情報を主体とする情報であると判断された前記表示情報の前記画像情報の透過率を前記第１画像透過率に設定し、さらに、前記画像情報を主体とする情報であると判断された前記表示情報の前記文字情報の透過率を前記第２文字透過率に設定し、前記画像情報を主体とする情報であると判断された前記表示情報の前記画像情報の透過率を前記第２画像透過率に設定する
請求項１から７のいずれか一項に記載の情報表示装置。
【請求項９】
前記第１画像透過率は１００％に設定され、
前記透過率設定部は、前記第１表示情報の前記画像情報の透過率を１００％に設定する
請求項１に記載の情報表示装置。
【請求項１０】
前記表示割合に対応付けて、前記第１文字透過率を算出するための第１文字係数、前記第１画像透過率を算出するための第１画像係数、前記第２文字透過率を算出するための第２文字係数および前記第２画像透過率を算出するための第２画像係数を記憶する記憶部をさらに備え、
前記透過率設定部は、前記受付部が受け付けた前記一方の表示割合に対応付けて前記記憶部に記憶されている前記第１文字係数および前記第１画像係数に基づいて、前記第１表示情報の前記文字情報の透過率を前記第１文字透過率に設定し、前記第１表示情報の前記画像情報の透過率を前記第１画像透過率に設定し、さらに、前記受付部が受け付けた前記一方の表示割合に対応付けて前記記憶部に記憶されている前記第２文字係数および前記第２画像係数に基づいて、前記第２表示情報の前記文字情報の透過率を前記第２文字透過率に設定し、前記第２表示情報の前記画像情報の透過率を前記第２画像透過率に設定する
請求項２に記載の情報表示装置。
【請求項１１】
情報表示装置で実行される情報表示方法であって、
表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定ステップと、
前記透過率設定ステップにより前記透過率が設定された前記文字情報および前記画像情報を含む前記第１表示情報と、前記透過率設定ステップにより前記透過率が設定された前記文字情報および前記画像情報を含む前記第２表示情報とを重ねた重畳情報を生成する重畳情報生成ステップと、
前記重畳情報を前記表示部に表示する表示処理ステップと
を含むことを特徴とする情報表示方法。
【請求項１２】
表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定ステップと、
前記透過率設定ステップにより前記透過率が設定された前記文字情報および前記画像情報を含む前記第１表示情報と、前記透過率設定ステップにより前記透過率が設定された前記文字情報および前記画像情報を含む前記第２表示情報とを重ねた重畳情報を生成する重畳情報生成ステップと、
前記重畳情報を前記表示部に表示する表示処理ステップと
をコンピュータに実行させるためのプログラム。
【発明の詳細な説明】
【技術分野】
【０００１】
本発明は、情報表示装置、情報表示方法およびプログラムに関する。
【背景技術】
【０００２】
従来、例えばＰＣ（パーソナルコンピュータ）においては、動作中の複数のアプリケーションのウインドウを表示画面に同時に表示することが可能である。これに対し、携帯端末などの携帯情報機器においては、複数のアプリケーションを同時に動作させることはできるものの、複数のアプリケーションにより生成された複数の表示情報を表示画面に同時に表示することはできない。
【０００３】
ＰＣにおいては、複数のウインドウを同時に表示するマルチウインドウ表示を利用して、インターネット画面とテレビ番組画面を同時に表示することができる。このため、ユーザは、視点を移動させることによりインターネットブラウザの閲覧からテレビ視聴を簡単に行うことができる。すなわち、ＰＣの表示画面においては、ユーザはテレビ番組のいわゆる「ながら見」を行うことができる。これに対し、携帯情報機器ではマルチウインドウ表示を行うことができないので、ユーザは、インターネット画面を閲覧中、テレビ番組を見たい場合には、一旦インターネットブラウザアプリケーションを終了し、テレビアプリケーションを起動させる必要がある。このため、携帯情報機器においては、ユーザはテレビ番組の「ながら見」を行うことができない。
【０００４】
携帯情報機器のマルチウインドウ表示を妨げる要因としては、携帯情報機器の画面解像度が低く、ＣＰＵの処理能力が低いことや、マルチウインドウ表示の消費電力が大きいことが挙げられる。しかしながら、昨今のスマートフォンの普及などに見られるように、携帯情報機器に使用されるＣＰＵはマルチプロセッサ化が進み、その処理能力はますます高くなる傾向があり、携帯電話のＰＣ化とも言われているように、これらの要因は解消しつつある。
【０００５】
しかしながら、携帯情報機器においては、可搬性を確保する必要があることから、表示機器のサイズを３〜４インチ程度に制限する必要がある。このため、携帯情報機器において、マルチウインドウ表示を採用した場合には、各ウインドウサイズは小さくなり、視認性に劣るという問題がある。また、携帯情報機器においては、入力デバイスの操作方法が制限され、また操作精度も低いことから、ウインドウの選択、移動、サイズ変更といった操作も行い難く、操作性にも劣るという問題がある。
【０００６】
ところで、特許文献１には、携帯端末において、添付画像をバックグラウンドとし、この上にメール本文を重ねて表示部に表示する技術が開示されている。これにより、限られたサイズの表示機器においても、ユーザは添付画像とメール本文を一目で確認することが可能となる。また、特許文献２には、情報再生装置において、複数の番組を重ねて表示する技術が開示されている。
【先行技術文献】
【特許文献】
【０００７】
【特許文献１】特開２００２−１４０２６５号公報
【特許文献２】特開２００７−２６６８００号公報
【発明の概要】
【発明が解決しようとする課題】
【０００８】
しかしながら、複数の表示情報を重ねて表示した場合には、各表示情報が見え難くなるという問題があった。
【０００９】
本発明は、上記に鑑みてなされたものであって、ユーザが閲覧し易い状態で、複数の表示情報を表示することのできる情報表示装置、情報表示方法およびプログラムを提供することを目的とする。
【課題を解決するための手段】
【００１０】
上述した課題を解決し、目的を達成するために、本発明にかかる情報表示装置は、表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定部と、前記透過率設定部により前記透過率が設定された前記文字情報および前記画像情報を含む前記第１表示情報と、前記透過率設定部により前記透過率が設定された前記文字情報および前記画像情報を含む前記第２表示情報とを重ねた重畳情報を生成する重畳情報生成部と、前記重畳情報を前記表示部に表示する表示処理部とを備えることを特徴とする。
【００１１】
また、本発明にかかる情報表示方法は、情報表示装置で実行される情報表示方法であって、表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定ステップと、前記透過率設定ステップにより前記透過率が設定された前記文字情報および前記画像情報を含む前記第１表示情報と、前記透過率設定ステップにより前記透過率が設定された前記文字情報および前記画像情報を含む前記第２表示情報とを重ねた重畳情報を生成する重畳情報生成ステップと、前記重畳情報を前記表示部に表示する表示処理ステップとを含むことを特徴とする。
【００１２】
また、本発明にかかるプログラムは、表示部に表示される表示情報のうち第１表示情報に含まれる文字情報が前記表示情報である第２表示情報を透過する程度を示す文字情報の透過率を、第１文字透過率に設定し、前記第１表示情報に含まれる画像情報が前記第２表示情報を透過する程度を示す画像情報の透過率を、前記第１文字透過率に比べて高い値である第１画像透過率に設定し、前記第２表示情報に含まれる文字情報の透過率を第２文字透過率に設定し、前記第２表示情報に含まれる画像情報の透過率を、前記第２文字透過率に比べて低い値である第２画像透過率に設定する透過率設定ステップと、前記透過率設定ステップにより前記透過率が設定された前記文字情報および前記画像情報を含む前記第１表示情報と、前記透過率設定ステップにより前記透過率が設定された前記文字情報および前記画像情報を含む前記第２表示情報とを重ねた重畳情報を生成する重畳情報生成ステップと、前記重畳情報を前記表示部に表示する表示処理ステップとをコンピュータに実行させるためのプログラムである。
【発明の効果】
【００１３】
本発明にかかる情報表示装置によれば、各表示情報をユーザが閲覧し易い状態に表示することができるという効果を奏する。
【図面の簡単な説明】
【００１４】
【図１】図１は、情報表示装置の外観構成を示す斜視図である。
【図２】図２は、表示制御部の機能構成を示すブロック図である。
【図３−１】図３−１は、表示情報を示す図である。
【図３−２】図３−２は、文字情報示す図である。
【図３−３】図３−３は、画像情報を示す図である。
【図４−１】図４−１は、表示情報を示す図である。
【図４−２】図４−２は、文字情報示す図である。
【図４−３】図４−３は、画像情報を示す図である。
【図５】図５は、属性テーブルのデータ構成を示す図である。
【図６】図６は、関数特定テーブルのデータ構成を示す図である。
【図７】図７は、スライダを示す図である。
【図８】図８は、第１文字関数、第１画像関数、第２文字関数および第２画像関数を示すグラフを示す図である。
【図９−１】図９−１は、スライダ位置と重畳情報を示す図である。
【図９−２】図９−２は、スライダ位置と重畳情報を示す図である。
【図９−３】図９−３は、スライダ位置と重畳情報を示す図である。
【図９−４】図９−４は、スライダ位置と重畳情報を示す図である。
【図９−５】図９−５は、スライダ位置と重畳情報を示す図である。
【図９−６】図９−６は、スライダ位置と重畳情報を示す図である。
【図１０】図１０は、表示制御部による処理を示すフローチャートである。
【図１１】図１１は、属性判断処理（ステップＳ１０３）における詳細な処理を示すフローチャートである。
【図１２】図１２は、情報表示装置のハードウェア構成を示す図である。
【図１３−１】図１３−１は、第１表示情報の一例を示す図である。
【図１３−２】図１３−２は、第２表示情報の一例を示す図である。
【図１４】図１４は、スライダ位置と重畳情報を示す図である。
【図１５】図１５は、変更例にかかる属性判断処理（ステップＳ１０３）における詳細な処理を示すフローチャートである。
【図１６】図１６は、変更例にかかる透過係数テーブルのデータ構成を示す図である。
【発明を実施するための形態】
【００１５】
以下に、本発明にかかる情報表示装置、情報表示方法およびプログラムを図面に基づいて詳細に説明する。なお、この実施の形態によりこの発明が限定されるものではない。
【００１６】
図１は、実施の形態にかかる情報表示装置１の外観構成を示す斜視図である。情報表示装置１は、表示部１０と、ハードキーなどの入力部１１とを備えている。表示部１０は、タッチパネルとしても機能する。すなわち、表示部１０は、入力部１１としても機能する。情報表示装置１は、例えば、携帯型の情報機器であって、タッチパネルは、例えば３〜４インチ程度のカラー液晶パネルであってもよい。
【００１７】
情報表示装置１は、種々の表示情報を生成するとともに、種々の処理を行うアプリケーションが動作可能である。情報表示装置１は、このアプリケーションにより生成される各種表示情報の表示部１０に対する表示制御を行う表示制御部を備えている。
【００１８】
図２は、情報表示装置１の表示制御部１００の機能構成を示すブロック図である。表示制御部１００は、表示情報取得部１０１と、種類特定部１０２と、属性判断部１０３と、受付部１０４と、透過率設定部１０５と、重畳情報生成部１０６と、表示処理部１０７と、記憶部１１０とを備えている。
【００１９】
表示制御部１００は、表示情報を表示部１０に表示する場合には、記憶部１１０に表示領域である表示プレーンを確保して、表示情報をこの表示プレーンに割り当てる。より具体的には、表示制御部１００は、２つの表示情報を表示する場合には、記憶部１１０に２つの表示プレーン（第１表示プレーン、第２表示プレーン）を確保し、２つの表示情報のうち一方の表示情報を第１表示プレーンに割り当て、他方の表示情報を第２表示プレーンに割り当て、これらを重ねて表示部１０に表示する処理を行う。
【００２０】
ここで、アプリケーションとしては、例えば、Ｗｅｂ閲覧、電子メール、音声再生、電子辞書、電子書籍、地図表示、ナビゲーション、画像表示、動画表示、テレビ番組再生など種々の種類にかかるアプリケーションがある。アプリケーションは、表示情報を生成する際に、これらアプリケーションの種類を、生成した表示情報のプロパティ等に属性として登録している。なお、表示情報におけるアプリケーションの種類の保持の方法は、これに限定されるものではない。
【００２１】
表示情報取得部１０１は、アプリケーションにより生成された表示情報を、アプリケーションから取得する。図３−１〜図３−３および図４−１〜図４−３は、表示情報を説明するための図である。図３−１に示す表示情報２００は、Ｗｅｂブラウザアプリケーションにより生成された表示情報の例である。図３−１に示す表示情報２００は、図３−２に示す文字情報２０２と、図３−３に示す画像情報２０４とを含んで構成される。
【００２２】
また、図４−１に示す表示情報２１０は、地図表示アプリケーションにより生成された表示情報の例である。図４−１に示す表示情報２１０は、図４−２に示す文字情報２１２と、図４−３に示す画像情報２１４とを含んで構成される。本実施の形態にかかる表示制御部１００は、このように文字情報と画像情報を含む表示情報を処理対象とする。
【００２３】
図２に戻り、種類特定部１０２は、表示情報の生成元のアプリケーションの種類を特定する。ここで、アプリケーションの種類とは、上述したＷｅｂ閲覧、電子メール、音声再生などである。具体的には、種類特定部１０２は、動作しているアプリケーションの種類の特定や、表示情報のプロパティ等の属性の参照により、表示情報を生成したアプリケーションの種類を特定する。なお、アプリケーションの種類の特定は、これに限定されるものではなく、例えば、表示情報のファイル名の拡張子により特定するように種類特定部１０２を構成してもよい。
【００２４】
記憶部１１０は、属性テーブル１１１と、関数特定テーブル１１２を記憶している。属性テーブル１１１は、アプリケーションの種類ごとに、当該種類のアプリケーションで生成された表示情報の主体となる情報が文字であるか画像であるか、すなわち属性を定めたデータである。図５は、属性テーブル１１１のデータ構成を示す図である。図５に示すように、属性テーブル１１１は、アプリケーションの種類と、当該アプリケーションによって生成される表示情報の属性とを対応付けて記憶している。ここで、表示情報の属性とは、文字、画像のいずれかであり、ここに登録された属性が表示情報の主体となる情報であることを意味する。図５の例では、アプリケーションの種類「Ｗｅｂブラウザ」のアプリケーションで生成された表示情報は、文字（文字情報）を主体とする情報と定められており、アプリケーションの種類「地図表示」のアプリケーションで生成された表示情報は、画像（画像情報）を主体とする情報と定められている。なお、属性テーブル１１１は、ユーザが予め、アプリケーションの種類に対して表示情報の主体となる属性を、ユーザの判断で任意に定めておくものであり、アプリケーションで生成された表示情報の主体となる属性がこの属性テーブル１１１で定めた属性に限定されてしまうものではない。また、図５の属性テーブル１１１も一例でありこれに限定されるものではない。
【００２５】
図６は、関数特定テーブル１１２のデータ構成を示す図である。関数特定テーブル１１２は、表示情報ごとに、当該表示情報において透過率を算出するための関数を定めたデータである。図６に示すように、関数特定テーブル１１２は、第１文字情報、第１画像情報、第２文字情報および第２画像情報等の表示情報それぞれを識別する表示情報ＩＤと、各表示情報の透過率を算出するための関数（第１文字関数、第１画像関数、第２文字関数および第２画像関数）とを対応付けて記憶している。
【００２６】
ここで、第１文字情報および第１画像情報は、それぞれ第１表示プレーンに表示される第１表示情報に含まれる文字情報および画像情報である。また、第２文字情報および第２画像情報は、それぞれ第２表示プレーンに表示される第２表示情報に含まれる文字情報および画像情報である。
【００２７】
第１文字関数、第１画像関数、第２文字関数および第２画像関数は、いずれも透過率と表示割合の関数である。ここで、表示割合とは、表示部１０に表示する第２表示情報の表示割合である。なお、第２表示情報の表示割合がいずれの値の場合においても、第１表示情報の表示割合と第２表示情報の表示割合の合計が１００％となることとする。
【００２８】
透過率は、各情報に重ねて表示される他の情報を透過する程度を示す値であり、透過率１００％は完全透過に相当し、透過率０％は非透過に相当する。なお、本実施の形態においては、各情報の透過率に相当する指標として透過係数を用いることとする。すなわち、本実施の形態にかかる第１文字関数、第１画像関数、第２文字関数および第２画像関数は、表示割合と透過係数の関数である。透過係数は、各情報に乗じられる値であり、透過係数が乗じられることにより、各情報の透過率が変更される。
【００２９】
透過係数は、０％から１００％の値をとり、透過係数０％は、完全透過に対応し、透過係数０％が乗じられた情報は表示部１０に表示されず、この情報に重ねて表示された他の情報のみが表示される。透過係数１００％は非透過に対応し、透過係数１００％が乗じられた情報は、アプリケーションにより生成された状態のまま表示され、この情報に重ねて表示された他の情報は表示されない。すなわち、透過係数０％は、透過の程度を示す透過率１００％に相当し、透過係数１００％は透過率０％に相当する。
【００３０】
図２に戻り、属性判断部１０３は、属性テーブル１１１において、種類特定部１０２により特定されたアプリケーションの種類に対応付けられている属性を特定する。属性判断部１０３は、さらに、表示情報取得部１０１が２つの表示情報を取得し、取得した２つの表示情報が文字属性の表示情報と画像属性の表示情報である場合には、文字属性の表示情報を第１表示プレーンに表示すべき第１表示情報と定め、画像属性の表示情報を第２表示プレーンに表示すべき第２表示情報と定める。
【００３１】
受付部１０４は、ユーザから入力された表示割合の指定を受け付ける。具体的には、図７に示すように、表示部１０に表示されるスライダ２２０を指でタッチし、スライダ２２０の位置を変更することにより、表示割合を指定する。本実施の形態においては、スライダ位置０は、第１表示情報の表示割合１００％、かつ第２表示情報の表示割合０％に相当する。スライダ位置２は、第１表示情報の表示割合８０％、かつ第２表示情報の表示割合２０％に相当する。スライダ位置１０は、第１表示情報の表示割合０％、かつ第２表示情報の表示割合１００％に相当する。
【００３２】
スライダ位置は、ユーザが指でタッチパネルをタッチする操作の他、ユーザがハードキーを押下する操作によっても変更可能である。なお、表示割合を指定するためのユーザによる操作方法は、実施の形態に限定されるものではない。
【００３３】
ここで、第１文字関数、第１画像関数、第２文字関数および第２画像関数について説明する。図８は、第１文字関数、第１画像関数、第２文字関数および第２画像関数を示すグラフである。図８に示すグラフの横軸は、第１表示情報および第２表示情報の表示割合ならびにスライダ位置を示し、縦軸は、透過係数および透過率を示している。４つの関数はいずれも異なる関数である。
【００３４】
第１文字関数および第１画像関数は、いずれも第２表示情報の表示割合が増加（スライダ位置の値が増加）するにつれて、透過係数が減少するような関数である。すなわち、これらの関数により、第２表示情報の表示割合が増加するにつれて、第１文字情報および第１画像情報の透過率は増加する。
【００３５】
これにより、第２表示情報の表示割合が増加するにつれて、第１文字情報および第１画像情報は、徐々に薄い表示となる。すなわち、第１文字情報および第１画像情報は、徐々に表示部１０からフェードアウトする。そして、第２表示情報の表示割合１００％（スライダ位置１０）においては、第１文字情報および第１画像情報は完全透過となりいずれの情報も表示されない。
【００３６】
一方、第２文字関数および第２画像関数は、いずれも第２表示情報の表示割合が増加（スライダ位置の値が増加）するにつれて、透過係数が増加するような関数である。すなわち、これらの関数により、第２表示情報の表示割合が増加するにつれて、第２文字情報および第２画像情報の透過率は減少する。これにより、第２表示情報の表示割合が増加するにつれて、表示部１０における第２文字情報および第２画像情報の表示は徐々に鮮明になる。すなわち、第２文字情報および第２画像情報は表示部１０に徐々にフェードインする。
【００３７】
これにより、各透過係数が乗じられた第１表示情報と第２表示情報を重畳した場合には、第２表示情報の表示割合が増加するにつれて、第１表示情報のみが表示される状態から、次第に第２表示情報がフェードインし、第１表示情報と第２表示情報が共に表示される状態に変化し、その後第１表示情報がフェードアウトしはじめ、第２表示情報のみが表示される状態へと変化する。すなわち、第１表示情報がフェードアウトするにつれて、第２表示情報がフェードインするようなクロスフェード表示が実現される。
【００３８】
さらに、第１文字関数は、第１表示情報の表示割合が１００％（第１表示情報は非透過）の場合を除くいずれの表示割合においても、第１文字関数により算出される透過係数が、第１画像関数により算出される透過係数よりも大きい値となるような関数である。
【００３９】
より具体的には、第１文字関数は、第２表示情報の表示割合に反比例して、第２表示情報の表示割合０％から１００％にかけて、透過係数が１００％から０％に変化するような関数である。
【００４０】
これに対し、第１画像関数は、第２表示情報の表示割合の増加に伴い、第１文字関数に比べて急な傾きで透過係数が減少するような関数である。より具体的には、第２表示情報の表示割合が５０％程度まで増加すると透過係数が０％になるような関数であり、本実施の形態にかかる第１画像関数においては、第２表示情報の表示割合が６０％になると透過係数が０％になる。さらに、第１画像関数は、第２表示情報の表示割合が増加するにつれて、平均変化率が減少するような関数、すなわち下に凸の曲線のグラフとなるような関数である。
【００４１】
すなわち、第１文字情報に第１文字関数により算出された透過係数を乗じ、第１画像情報に第１画像関数により算出された透過係数を乗じることにより、第２表示情報の表示割合が０％から増加するにつれ、第１文字情報と第１画像情報は表示部１０からフェードアウトしはじめ、表示割合が６０％まで増加すると、第１画像情報は完全透過となり、表示部１０に表示されなくなる。続いて、表示割合が１００％に達すると第１文字情報も完全透過となり、表示部１０に表示されなくなる。
【００４２】
このように、表示制御部１００は、第１文字関数および第１画像関数を用いることにより、第２表示情報の表示割合が０％から１００％に増加するにつれて、第１表示情報として定めた文字を主体とする表示情報を徐々にフェードアウトさせる際に、第１表示情報の第１画像情報を第１文字情報よりも先にフェードアウトさせることができる。さらに、表示割合が６０％を越えた場合には、第１表示情報については、主体となる第１文字情報のみを表示することにより、フェードインしはじめた第２画像情報と第１画像情報とが混在することがなく、第２表示情報の第２画像情報の見易さを向上させることができる。
【００４３】
一方、第２画像関数は、第２表示情報の表示割合が１００％（第２表示情報は非透過）の場合を除くいずれの表示割合においても、第２画像関数により算出される透過係数が、第２文字関数により算出される透過係数よりも大きい値となるような関数である。
【００４４】
より具体的には、第２画像関数は、第２表示情報の表示割合と透過係数とが比例関係にある関数であり、第２表示情報の表示割合１００％から０％に減少するのにつれて、透過係数が１００％から０％に減少するような関数である。
【００４５】
これに対し、第２文字関数は、第２表示情報の表示割合が１００％から０％にかけて減少するのに伴い、第２画像関数に比べて急な傾きで透過係数が減少するような関数である。より具体的には、第２文字関数は、第２表示情報の表示割合が５０％程度まで減少すると透過係数が０％になるような関数であり、本実施の形態にかかる第２文字関数においては、第２表示情報の表示割合が４０％まで減少すると透過係数が０％になる。さらに、第２文字関数は、第２表示情報の表示割合が減少するにつれて、平均変化率が減少するような関数、すなわち下に凸の曲線のグラフとなるような関数である。
【００４６】
すなわち、第２文字情報に第２文字関数により算出された透過係数を乗じ、第２画像情報に第２画像関数により算出された透過係数を乗じることにより、第２表示情報の表示割合が１００％から減少するにつれ、第２文字情報と第２画像情報は表示部１０からフェードアウトしはじめ、表示割合が４０％まで減少すると、第２文字情報は完全透過となり、表示部１０に表示されなくなる。続いて、表示割合が０％に達すると第２画像情報も完全透過となり、表示部１０に表示されなくなる。
【００４７】
このように、表示制御部１００は、第２文字関数および第２画像関数を用いることにより、第２表示情報の表示割合が１００％から０％に減少するにつれて、第２表示情報として定めた画像を主体とする表示情報を徐々にフェードアウトさせる際に、第２表示情報の第２文字情報を第２画像情報よりも先にフェードアウトさせることができる。さらに、表示割合が４０％よりも小さくなった場合には、第２表示情報については、主体となる第２画像情報のみを表示することにより、フェードインしはじめた第１文字情報と第２文字情報とが混在することがなく、第１表示情報の第１文字情報の見易さを向上させることができる。
【００４８】
なお、第１文字関数および第１画像関数は、いずれも第２表示情報の表示割合が増加するにつれて、透過係数が減少するような関数であればよく、各関数における表示割合と透過率の関係は、実施の形態に限定されるものではない。
【００４９】
例えば、本実施の形態にかかる第１文字関数は、第２表示情報の表示割合と透過係数が反比例の関係にある関数、すなわち直線のグラフとなる関数であったが、第１文字関数は、これに替えて下に凸の曲線のグラフとなるような関数であってもよい。
【００５０】
また、本実施の形態にかかる第１画像関数は、下に凸の曲線のグラフであったが、これに替えて、直線のグラフであってもよい。
【００５１】
また、本実施の形態にかかる第１文字関数は、第２表示情報の表示割合が０％から１００％の間で透過係数が１００％から０％に変化するような関数であったが、これにかえて、第２表示情報の表示割合が０％から１００％よりも小さい値（例えば９０％）の間で透過係数が１００％から０％に変化するような関数であってもよい。
【００５２】
同様に、第２文字関数および第２画像関数は、いずれも第２表示情報の表示割合が減少するにつれて、透過係数が減少するような関数であればよく、各関数における表示割合と透過率の関係は、実施の形態に限定されるものではない。
【００５３】
例えば、本実施の形態にかかる第２画像関数は、第２表示情報の表示割合と透過係数が比例の関係にある関数、すなわち直線のグラフとなる関数であったが、第２画像関数は、これにかえて下に凸の曲線のグラフとなるような関数であってもよい。
【００５４】
また、本実施の形態にかかる第２文字関数は、下に凸の曲線のグラフであったが、これにかえて、直線のグラフであってもよい。
【００５５】
また、本実施の形態にかかる第２画像関数は、第２表示情報の表示割合が０％から１００％の間で透過係数が０％から１００％に変化するような関数であったが、これにかえて、第２表示情報の表示割合が０％よりも大きい値（例えば１０％）から１００％の間で透過係数が０％から１００％に変化するような関数であってもよい。
【００５６】
また、本実施の形態にかかる第１文字関数、第１画像関数、第２文字関数および第２画像関数は、第２表示情報の表示割合と透過係数を変数とする関数であるが、各関数の変数を第２表示情報の表示割合にかえて、第１表示情報の表示割合またはスライダ位置としてもよい。
【００５７】
また、本実施の形態にかかる第１文字関数、第１画像関数、第２文字関数および第２画像関数は、第１文字情報および第１画像情報の透過率が１００％の場合に第２文字情報および第２画像情報の透過率が０％となり、第１文字情報および第１画像情報の透過率が０％の場合に第２文字情報および第２画像情報の透過率が１００％となるような関数であるが、他の例としては、第１文字関数、第１画像関数、第２文字関数および第２画像関数は、第１文字情報および第１画像情報の透過率が１００％の場合に第２文字情報および第２画像情報の透過率が０％よりも大きい値となるような関数であってもよく、また他の例としては、第２文字情報および第２画像情報の透過率が１００％の場合に第１文字情報および第１画像情報の透過率が０％よりも大きい値となるような関数であってもよい。
【００５８】
図２に戻り、透過率設定部１０５は、記憶部１１０に記憶されている関数特定テーブル１１２において各情報に対応付けられている第１文字関数、第１画像関数、第２文字関数および第２画像関数と、受付部１０４が受け付けた表示割合またはデフォルト値として予め設定された表示割合とに基づいて、属性判断部１０３により第１表示プレーンに表示すべき第１表示情報と定められた表示情報に含まれる第１文字情報および第１画像情報、ならびに第２表示プレーンに表示すべき第２表示情報と定められた表示情報に含まれる第２文字情報および第２画像情報それぞれに乗じるべき透過係数を算出する。そして、透過率設定部１０５は、算出した透過係数をそれぞれ第１文字情報、第１画像情報、第２文字情報および第２画像情報に乗じることにより各情報の透過率を設定する。このように、透過率設定部１０５は、各情報の透過率を、所定の表示割合に応じて定まる透過率に設定する。
【００５９】
重畳情報生成部１０６は、透過率設定部１０５により透過率が変更された後の第１表示情報を、透過率が変更された後の第２表示情報に重畳して、重畳情報を生成する。表示処理部１０７は、重畳情報生成部１０６により生成された重畳情報を表示部１０に表示する。
【００６０】
図９−１〜図９−６は、各スライダ位置と、各スライダ位置が指定された場合に表示制御部１００により表示部１０に表示される重畳情報を示す図である。図９−１〜図９−６においては、図３−１〜図３−３に示す表示情報を第１表示情報とし、図４−１〜図４−３に示す表示情報を第２表示情報とした場合の重畳情報を示している。スライダ位置０においては、図９−１に示すように、表示部１０には、第１表示情報に含まれる第１文字情報および第１画像情報が、アプリケーションにより生成された状態から変更されることなく表示される。
【００６１】
また、スライダ位置２，４においては、それぞれ図９−２および図９−３に示すように、表示部１０には、第１表示情報に含まれる第１文字情報および第１画像情報に加え、第２表示情報の第２画像情報が表示される。
【００６２】
さらに、スライダ位置２においては、第１画像情報が第２画像情報に比べてより鮮明に表示されているのに対し、スライダ位置４においては、第２画像情報が第１画像情報に比べてより鮮明に表示される。
【００６３】
このように、表示制御部１００は、スライダ位置２，４が指定された場合には、第１表示情報については、第１文字情報および第１画像情報を比較的鮮明に表示しつつ、第２表示情報については、主体となる第２画像情報のみを表示するので、ユーザは、第１表示情報を明確に目視確認することができるとともに、第２表示情報の概要を把握することができる。さらに、第２画像情報が地図画像である場合には、スライダ位置２，４においては、ユーザが地形を認識できる程度に地図が表示されるので、ユーザは大まかな場所を把握することができる。
【００６４】
また、スライダ位置６，８においては、それぞれ図９−４および図９−５に示すように、第２表示情報については、第２画像情報だけでなく第２文字情報も表示部１０に表示される。さらに、第１表示情報については、第１表示情報に含まれる第１画像情報は完全にフェードアウトし、第１文字情報のみが表示部１０に表示される。
【００６５】
さらに、スライダ位置６においては、第１文字情報が第２文字情報に比べてより鮮明に表示されているのに対し、スライダ位置８においては、第２文字情報が第１文字情報に比べてより鮮明に表示される。
【００６６】
このように、表示制御部１００は、スライダ位置６，８が指定された場合には、第２表示情報に含まれる第２文字情報および第２画像情報を比較的鮮明に表示しつつ、第１表示情報については、主体となる第１文字情報のみを表示するので、ユーザは、第２表示情報を明確に目視確認することができるとともに、第１表示情報の概要を把握することができる。
【００６７】
また、スライダ位置１０においては、図９−６に示すように、表示部１０には、第２表示情報に含まれる第２文字情報および第２画像情報が、アプリケーションにより生成された状態から変更されることなく表示される。
【００６８】
次に、以上のように構成された本実施の形態の情報表示装置１の表示制御部１００による表示処理について説明する。図１０は、表示制御部１００による処理を示すフローチャートである。まず、表示制御部１００は、情報表示装置１において表示情報を表示するアプリケーションの起動待ち状態にある（ステップＳ１００，Ｎｏ）。そして、表示情報を表示するアプリケーションが起動すると（ステップＳ１００，Ｙｅｓ）、表示情報取得部１０１は、起動したアプリケーションから表示情報を取得する（ステップＳ１０１）。次に、表示情報取得部１０１は、表示情報取得部１０１が２つの表示情報を取得したか否かを判断することより、２つのアプリケーションが動作中であるか否かを判断する（ステップＳ１０２）。表示情報取得部１０１が２つの表示情報を取得した場合、すなわち情報表示装置１において２つのアプリケーションが動作中である場合には（ステップＳ１０２，Ｙｅｓ）、属性判断処理（ステップＳ１０３）へ進む。
【００６９】
図１１は、属性判断処理（ステップＳ１０３）における詳細な処理を示すフローチャートである。属性判断処理においては、まず種類特定部１０２は、２つの表示情報それぞれの生成元となる２つのアプリケーションそれぞれの種類を特定する（ステップＳ１２０）。次に、属性判断部１０３は、記憶部１１０の属性テーブル１１１において種類特定部１０２により特定された２つのアプリケーションの種類それぞれに対応付けられている表示情報の属性を特定し（ステップＳ１２１）、２つのアプリケーションにより生成された２つの表示情報のうち一方の表示情報の属性が文字であり、かつ２つの表示情報のうち他方の表示情報の属性が画像であるか否かを判断する（ステップＳ１２２）。
【００７０】
そして、２つの表示情報のうち一方の表示情報の属性が文字であり、２つの表示情報のうち他方の表示情報の属性が画像である場合には（ステップＳ１２２，Ｙｅｓ）、属性判断部１０３は、属性が文字の表示情報を第１表示プレーンに表示すべき第１表示情報として定め、属性が画像の表示情報を第２表示プレーンに表示すべき第２表示情報として定める（ステップＳ１２３）。
【００７１】
ステップＳ１２２において、２つの表示情報の属性が文字と画像である場合以外の場合には（ステップＳ１２２，Ｎｏ）、属性判断部１０３は、先に起動したアプリケーションにより生成された表示情報を第１表示情報と定め、後に起動したアプリケーションにより生成された表示情報を第２表示情報として定める（ステップＳ１２４）。以上で、属性判断処理（ステップＳ１０３）が終了する。
【００７２】
なお、ステップＳ１２２において、２つの表示情報の属性が文字と画像である場合以外の場合には、２つの表示情報の属性がともに文字である場合、２つの表示情報の属性がともに画像である場合の他、少なくともいずれか一方の表示情報の属性が属性テーブル１１１に登録されておらず、属性が特定できない場合も含まれる。
【００７３】
再び図１０に戻り、属性判断処理（ステップＳ１０３）が終了すると、次に、透過率設定部１０５は、記憶部１１０の関数特定テーブル１１２に記憶されている各関数と、予めデフォルトとして設定された表示割合に基づいて、第１表示情報の第１文字情報および第１画像情報と、第２表示情報の第２文字情報および第２画像情報の透過係数を決定する（ステップＳ１０４）。ここで、デフォルトとして設定された表示割合は、本実施の形態においては５０％とするが、デフォルトとして設定すべき表示割合は実施の形態に限定されるものではなく、他の値をデフォルトとして設定することもできる。また、デフォルト値は、ユーザからの変更指示に従い変更することも可能である。
【００７４】
次に、透過率設定部１０５は、各情報に対して決定した透過係数を対応する各情報に乗じることにより、各情報の透過率を変更する（ステップＳ１０５）。次に、重畳情報生成部１０６は、透過率設定部１０５により透過率が変更された後の第１表示情報を第２表示情報に重畳することにより重畳情報を生成する（ステップＳ１０６）。次に、表示処理部１０７は、重畳情報生成部１０６により生成された重畳情報を表示部１０に表示する（ステップＳ１０７）。
【００７５】
これにより、表示制御部１００は、２つのアプリケーションが起動し、２つのアプリケーションそれぞれにより生成された２つの表示情報を表示部１０に表示する場合には、２つの表示情報を予め設定されたデフォルトの割合で重畳した重畳情報を表示するので、ユーザは２つの表示情報を良好な状態で閲覧することができる。
【００７６】
さらに、このとき、表示処理部１０７は、重畳情報とともにスライダ２２０を表示部１０に表示する。そして、ユーザからスライダ位置が変更され、受付部１０４が表示割合の指定を受け付けたか否かを判断する（ステップＳ１０８）。そして、受付部１０４が表示割合の指定を受け付けると（ステップＳ１０８，Ｙｅｓ）、透過率設定部１０５は、受付部１０４が受け付けた表示割合と、関数特定テーブル１１２に記憶されている各関数に基づいて、各情報の透過係数を決定する（ステップＳ１０９）。そして、ステップＳ１０５に進み、透過率設定部１０５は、各情報の透過率を変更する（ステップＳ１０５）。これにより、ステップＳ１０７において、ユーザから変更されたスライダ位置に対応する表示割合の重畳情報が表示部１０に表示される。
【００７７】
一方、ステップＳ１０８において、受付部１０４が表示割合の指定を受け付けない場合には（ステップＳ１０８，Ｎｏ）、起動中の２つのアプリケーションのうち少なくとも一方のアプリケーションが終了したか否かを判断する（ステップＳ１１０）。そして、起動中の２つのアプリケーションのうち少なくとも一方のアプリケーションが終了すると（ステップＳ１１０，Ｙｅｓ）、表示処理が完了する。一方、２つのアプリケーションが起動中であれば（ステップＳ１１０，Ｎｏ）、再びステップＳ１０８へ戻る。
【００７８】
また、ステップＳ１０２において、動作中のアプリケーションが１つのみである場合には（ステップＳ１０２，Ｎｏ）、表示処理部１０７は、通常の表示処理を行い（ステップＳ１１１）、表示処理は完了する。
【００７９】
このように、本実施の形態にかかる情報表示装置１によれば、２つのアプリケーションが起動した場合には、２つのアプリケーションそれぞれにより生成される２つの表示情報を重畳して表示するので、２つの表示情報を表示する２つのウインドウを設け、限られたサイズの表示部１０に各表示情報を表示する２つのウインドウを並べて表示する場合に比べて比較的大きいサイズで２つの表示情報を表示することができるので、各表示情報の見易さを向上させることができる。
【００８０】
また、ユーザの操作によるスライダ位置の変更に応じて、２つの表示情報のうちいずれの表示情報をより見やすく表示するかを調整するように、２つの表示情報それぞれの透過率を変更し、クロスフェードさせることができるので、ユーザが所望の表示情報をより良好な状態に表示することができる。
【００８１】
さらに、２つの表示情報が文字を主体とする表示情報と画像を主体とする表示情報である場合には、文字を主体とする表示情報については、画像情報の表示を制限し、画像を主体とする表示情報については文字情報の表示を制限することにより、優先すべき情報の見易さを向上させることができる。
【００８２】
図１２は、情報表示装置１のハードウェア構成を示す図である。情報表示装置１は、ＣＰＵなどの制御部１２と、ＲＯＭ（Ｒｅａｄ  Ｏｎｌｙ  Ｍｅｍｏｒｙ）１３やＲＡＭ１４などの記憶装置と、ＨＤＤ１５、ＣＤドライブ装置などの外部記憶装置１６と、ディスプレイ装置などの表示部１０と、入力キータッチパネルなどの入力部１１を備えており、通常のコンピュータを利用したハードウェア構成となっている。
【００８３】
本実施形態の情報表示装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８４】
また、本実施形態の情報表示装置１で実行されるプログラムを、インターネット等のネットワークに接続されたコンピュータ上に格納し、ネットワーク経由でダウンロードさせることにより提供するように構成しても良い。また、本実施形態の情報表示装置１で実行されるプログラムをインターネット等のネットワーク経由で提供または配布するように構成しても良い。また、本実施形態の情報表示装置１で実行されるプログラムを、ＲＯＭ等に予め組み込んで提供するように構成してもよい。
【００８５】
本実施の形態の情報表示装置１で実行されるプログラムは、上述した各部（表示情報取得部、種類特定部、属性判断部、受付部、透過率設定部、重畳情報生成部および表示処理部）を含むモジュール構成となっており、実際のハードウェアとしてはＣＰＵ（プロセッサ）が上記記憶媒体からプログラムを読み出して実行することにより上記各部が主記憶装置上にロードされ、各部が主記憶装置上に生成されるようになっている。
【００８６】
本実施の形態にかかる情報表示装置１の第１の変更例としては、情報表示装置１は、２つの表示情報いずれも文字情報と画像情報を含む場合だけでなく、２つの表示情報のうちいずれか一方のみが文字情報と画像情報を含み、２つの表示情報のうち他方の表示情報は文字情報および画像情報のうちいずれか一方のみを含む場合においても、実施の形態において説明したのと同様の処理を行ってもよい。
【００８７】
この場合には、透過率設定部１０５は、関数特定テーブル１１２に記憶されている関数を利用して、一方の表示情報に含まれる文字情報と画像情報それぞれに異なる透過係数を乗じ、また他方の表示情報に含まれる文字情報または画像情報に対し、対応する透過係数を乗じ、重畳情報生成部１０６は、透過率が変更された後の２つの表示情報を重畳して重畳情報を生成すればよい。
【００８８】
ここで、情報表示装置１が図１３−１に示す表示情報と図１３−２に示す表示情報とを表示対象とする場合について説明する。図１３−１に示す表示情報が第１表示プレーンに表示する第１表示情報、図１３−２に示す表示情報が第２表示プレーンに表示する第２表示情報であるとする。また、図１３−１に示す表示情報は、インターネットブラウザアプリケーションにより生成された表示情報であり、文字情報のみを含み、属性は文字であるとする。一方、図１３−２に示す表示情報は、地図表示アプリケーションにより生成された表示情報であり、文字情報と画像情報を含み、属性は画像であるとする。
【００８９】
図１４は、図１３−１に示す表示情報と図１３−２に示す表示情報とが重畳された重畳情報とスライダ位置とを示す図である。図１４に示すように、スライダ位置２においては、第１表示情報がより鮮明に表示され、第２表示情報においては、第２文字情報と第２画像情報のうち第２画像情報のみが表示されている。これにより、第１表示情報の第１文字情報と第２文字情報が混在することがない。また、スライダ位置４においても、スライダ位置２に比べて第２表示情報がより鮮明になっているものの、第２文字情報は表示されない。したがって、第１文字情報と第２文字情報が混在することなく、第１文字情報をより見やすい状態で表示することができる。また、スライダ位置８においては、第２文字情報は第１表示情報としての第１文字情報に比べてより鮮明に表示される。これにより、第２表示情報の第２文字情報および第２画像情報を第１文字情報に優先して表示することができる。
【００９０】
このように、情報表示装置１は、文字情報と画像情報とを含む表示情報と、文字情報または画像情報のみを含む表示情報とを表示部１０に重ねて表示する場合においても、一方の表示情報を優先的に表示することができる。
【００９１】
さらに、本例において、例えば第１表示プレーンにおいてユーザが「第１公園」を選択した場合には、第２表示プレーンにおいて「第１公園」に関係するオブジェクトをマーク表示（図１４においては斜線表示）してもよい。これにより、２つの表示情報を関連付けて表示することができる。
【００９２】
また、第２の変更例としては、情報表示装置１は、表示部１０に表示すべき２つの表示情報のうち一方の表示情報がＨＴＭＬ（ＨｙｐｅｒＴｅｘｔ  Ｍａｒｋｕｐ  Ｌａｎｇｕａｇｅ）言語などのマークアップ言語により記述されている場合には、この表示情報が文字情報および画像情報を含む場合であっても、表示部１０に表示する情報を文字情報のみとしてもよい。
【００９３】
図１５は、本例における属性判断処理（ステップＳ１０３）における詳細な処理を示すフローチャートである。図１５の処理において、ステップＳ１２０からＳ１２４までの処理は、図１１で説明した処理と同様である。ステップＳ１２３において第１表示情報および第２表示情報を定めた後、属性判断部１０３は、第１表示情報がマークアップ言語により記述されているか否かを判断する（ステップＳ１３０）。そして、第１表示情報がマークアップ言語により記述されている場合には（ステップＳ１３０，Ｙｅｓ）、第１表示情報に含まれる第１文字情報と第１画像情報のうち第１文字情報のみを表示部１０に表示する表示対象と定める（ステップＳ１３１）。この場合、透過率設定部１０５は、第１画像情報に透過係数０％を乗じ、第１画像情報の透過率を１００％に変更する。これにより、第１画像情報は、表示割合にかかわらず表示部１０には表示されない。なお、ステップＳ１３０において、第１表示情報がマークアップ言語により記述された情報でない場合には（ステップＳ１３０，Ｎｏ）ステップＳ１３１の処理は行わず、属性判断処理（ステップＳ１０３）は終了する。
【００９４】
このように、本例においては、２つの表示情報のクロスフェードにおいて、マークアップ言語により記述された第１表示情報については、第１文字情報のみをクロスフェード表示することとする。なお、この場合、第１文字情報については、アプリケーションにより生成された元の表示情報における表示位置に表示することとしてもよい。また他の例としては、左上詰めとして所定の領域に表示するなど、元の表示情報における改行情報のみを適用して表示することとしてもよい。これにより、第２表示情報の見易さを向上させることができる。
【００９５】
また、第３の変更例としては、本実施の形態にかかる情報表示装置１は、第１文字情報、第１画像情報、第２文字情報および第２画像情報それぞれの透過係数を決定するための関数を記憶した関数特定テーブル１１２を備え、各関数と、所定の表示割合とに基づいて、各情報に乗じるべき透過係数を決定したが、情報表示装置は、関数特定テーブル１１２にかえて、図１６に示す透過係数テーブル１１３を備えることとしてもよい。
【００９６】
透過係数テーブル１１３は、表示割合と、第１文字情報、第１画像情報、第２文字情報および第２画像情報それぞれの透過係数とを対応付けて記憶している。そして、透過率設定部は、透過係数テーブル１１３において、所定の表示割合に対応付けられている透過係数を特定し、特定した透過係数を対応する各情報に乗じることにより各情報の透過率を変更する。
【００９７】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００９８】
１  情報表示装置
１００  表示制御部
１０１  表示情報取得部
１０２  種類特定部
１０３  属性判断部
１０４  受付部
１０５  透過率設定部
１０６  重畳情報生成部
１０７  表示処理部
１１０  記憶部
１１１  属性テーブル
１１２  関数特定テーブル
１１３  透過係数テーブル
【図１】
0005760946.tif 000002
【図２】
0005760946.tif 000003
【図３−１】
0005760946.tif 000004
【図３−２】
0005760946.tif 000005
【図３−３】
0005760946.tif 000006
【図４−１】
0005760946.tif 000007
【図４−２】
0005760946.tif 000008
【図４−３】
0005760946.tif 000009
【図５】
0005760946.tif 000010
【図６】
0005760946.tif 000011
【図７】
0005760946.tif 000012
【図８】
0005760946.tif 000013
【図１０】
0005760946.tif 000014
【図１１】
0005760946.tif 000015
【図１２】
0005760946.tif 000016
【図１３−１】
0005760946.tif 000017
【図１３−２】
0005760946.tif 000018
【図１５】
0005760946.tif 000019
【図１６】
0005760946.tif 000020
【図９−１】
0005760946.tif 000021
【図９−２】
0005760946.tif 000022
【図９−３】
0005760946.tif 000023
【図９−４】
0005760946.tif 000024
【図９−５】
0005760946.tif 000025
【図９−６】
0005760946.tif 000026
【図１４】
0005760946.tif 000027